(57)【特許請求の範囲】
【請求項１】
無線通信システムの端末機におけるデータ通信方法であって、
基準信号に対する循環シフト情報を基地局から受信するステップと、
データと、循環シフト値に基づいて循環シフトされた基準信号とを前記基地局に送信するステップとを備え、
前記循環シフト値は、表１に従って、基準信号に対する前記循環シフト情報にマッピングされた動的循環シフト値に基づいて決定される
ことを特徴とする方法。
【表１】
0005671083.tif 000009
【請求項２】
前記送信されたデータに関するＡＣＫ／ＮＡＣＫ情報を、下降リンクチャネルの無線リソースを通じて受信するステップを更に備えることを特徴とする請求項１に記載の方法。
【請求項３】
参照信号に対する前記循環シフト情報は、ＬＴＥ（Ｌｏｎｇ  Ｔｅｒｍ  Ｅｖｏｌｕｔｉｏｎ）システムにおけるＤＣＩ（Ｄｏｗｎｌｉｎｋ  Ｃｏｎｔｒｏｌ  Ｉｎｆｏｒｍａｔｉｏｎ）ｆｏｒｍａｔ  ０に含まれる復調基準信号（ＤＭＲＳ：Ｄｅｍｏｄｕｌａｔｉｏｎ  Ｒｅｆｅｒｅｎｃｅ  Ｓｉｇｎａｌ）に対する循環シフト情報であることを特徴とする請求項１に記載の方法。
【請求項４】
前記データは、拡張循環前置信号（ｅｘｔｅｎｄｅｄ  ｃｙｃｌｉｃ  ｐｒｅｆｉｘ）を使用して送信されることを特徴とする請求項１に記載の方法。
【請求項５】
データ通信のための装置であって、
参照信号に対する循環シフト情報を基地局から受信するように構成された受信機と、
データと、循環シフト値に基づいて循環シフトされた基準信号とを前記基地局に送信するように構成された送信機と、
表２に従って、基準信号に対する前記循環シフト情報にマッピングされた動的循環シフト値に基づいて、前記循環シフト値を決定するように構成されたプロセッサと
を備えることを特徴とする装置。
【表２】
0005671083.tif 000010
【請求項６】
前記受信機は、前記送信されたデータに関するＡＣＫ／ＮＡＣＫ情報を、下降リンクチャネルの無線リソースを通じて受信するように構成されたことを特徴とする請求項５に記載の装置。
【請求項７】
参照信号に対する前記循環シフト情報は、ＬＴＥ（Ｌｏｎｇ  Ｔｅｒｍ  Ｅｖｏｌｕｔｉｏｎ）システムにおけるＤＣＩ（Ｄｏｗｎｌｉｎｋ  Ｃｏｎｔｒｏｌ  Ｉｎｆｏｒｍａｔｉｏｎ）ｆｏｒｍａｔ  ０に含まれる復調基準信号（ＤＭＲＳ：Ｄｅｍｏｄｕｌａｔｉｏｎ  Ｒｅｆｅｒｅｎｃｅ  Ｓｉｇｎａｌ）に対する循環シフト情報であることを特徴とする請求項５に記載の装置。
【請求項８】
前記送信機は、拡張循環前置信号（ｅｘｔｅｎｄｅｄ  ｃｙｃｌｉｃ  ｐｒｅｆｉｘ）を使用して前記データを送信することを特徴とする請求項５に記載の装置。
【請求項９】
無線通信システムの基地局におけるデータ通信方法であって、
基準信号に対する循環シフト情報を端末機に送信するステップと、
データと、循環シフト値に基づいて循環シフトされた基準信号とを前記端末機から受信するステップとを備え、
前記循環シフト値は、表３に従って、基準信号に対する前記循環シフト情報にマッピングされた動的循環シフト値に基づいて決定される
ことを特徴とする方法。
【表３】
0005671083.tif 000011
【請求項１０】
前記受信されたデータに関するＡＣＫ／ＮＡＣＫ情報を、下降リンクチャネルの無線リソースを通じて送信するステップをさらに備えることを特徴とする請求項９に記載の方法。
【請求項１１】
参照信号に対する前記循環シフト情報は、ＬＴＥ（Ｌｏｎｇ  Ｔｅｒｍ  Ｅｖｏｌｕｔｉｏｎ）システムにおけるＤＣＩ（Ｄｏｗｎｌｉｎｋ  Ｃｏｎｔｒｏｌ  Ｉｎｆｏｒｍａｔｉｏｎ）ｆｏｒｍａｔ  ０に含まれる復調基準信号（ＤＭＲＳ：Ｄｅｍｏｄｕｌａｔｉｏｎ  Ｒｅｆｅｒｅｎｃｅ  Ｓｉｇｎａｌ）に対する循環シフト情報であることを特徴とする請求項９に記載の方法。
【請求項１２】
前記データは、拡張循環前置信号（ｅｘｔｅｎｄｅｄ  ｃｙｃｌｉｃ  ｐｒｅｆｉｘ）を使用して前記端末機から受信されることを特徴とする請求項９に記載の方法。
【請求項１３】
データ通信のための装置であって、
参照信号に対する循環シフト情報を端末機に送信するように構成された送信機と、
データと、循環シフト値に基づいて循環シフトされた基準信号とを前記端末機から受信するように構成された受信機と、
表４に従って、基準信号に対する前記循環シフト情報にマッピングされた動的循環シフト値に基づいて、前記循環シフト値を決定するように構成されたプロセッサと
を備えることを特徴とする装置。
【表４】
0005671083.tif 000012
【請求項１４】
前記送信機は、前記受信されたデータに関するＡＣＫ／ＮＡＣＫ情報を、下降リンクチャネルの無線リソースを通じて送信するように構成されたことを特徴とする請求項１３に記載の装置。
【請求項１５】
参照信号に対する前記循環シフト情報は、ＬＴＥ（Ｌｏｎｇ  Ｔｅｒｍ  Ｅｖｏｌｕｔｉｏｎ）システムにおけるＤＣＩ（Ｄｏｗｎｌｉｎｋ  Ｃｏｎｔｒｏｌ  Ｉｎｆｏｒｍａｔｉｏｎ）ｆｏｒｍａｔ  ０に含まれる復調基準信号（ＤＭＲＳ：Ｄｅｍｏｄｕｌａｔｉｏｎ  Ｒｅｆｅｒｅｎｃｅ  Ｓｉｇｎａｌ）に対する循環シフト情報であることを特徴とする請求項１３に記載の装置。
【請求項１６】
前記受信機は、拡張循環前置信号（ｅｘｔｅｎｄｅｄ  ｃｙｃｌｉｃ  ｐｒｅｆｉｘ）を使用して、前記送信されるデータを受信することを特徴とする請求項１３に記載の装置。
【発明の詳細な説明】
【技術分野】
【０００１】
本発明は、受信成功可否情報を送信する方法および装置に関し、より詳細には、基地局が端末機から受信したデータに対する受信成功可否情報を端末機に送信する技術に関する。
【背景技術】
【０００２】
従来、マルチキャリアセルラー移動通信システムにおいて、端末機は基地局に上向きリンクデータ送信を行う。１つのサブフレーム（ｓｕｂｆｒａｍｅ）内に複数の端末機が上向きリンクデータを送信できるため、基地局は１つのサブフレーム内に複数の端末機にデータに対する送信成功可否情報（ＡＣＫ／ＮＡＣＫ）を送信できる必要がある。一例として、３ＧＰＰ  ＬＴＥシステムでは上向きリンクデータに対する送信成功可否情報をＨＩ（ＨＡＲＱ  Ｉｎｄｉｃａｔｏｒ）といい、基地局は複数の端末機にＨＩを物理ＨＡＲＱ指示子チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）を介して送信する。
【０００３】
一方、端末機は循環シフト（ｃｙｃｌｉｃ  ｓｈｉｆｔ）された基準信号（ｒｅｆｅｒｅｎｃｅ  ｓｉｇｎａｌ）を基地局に送信する。基地局は基準信号を用いて各端末機に対する無線チャネルを推定する。基地局の無線チャネル推定を容易にするために各端末機が送信する基準信号に対する循環シフト値を互いに最も間隔をあけて配置しなければならない。
【０００４】
各端末機に対する循環シフト値と各端末機に対するＰＨＩＣＨ無線リソースは互いに関連する。したがって、各端末機に対する循環シフト値を最も間隔をあけて配置するようにさせることだけを考慮して各端末機に対する循環シフト値を決定すれば、各端末機に対して同一のＰＨＩＣＨ無線リソースを割り当てることができる。
【０００５】
各端末機に対して同一のＰＨＩＣＨ無線リソースが割り当てられれば、各端末機は自身に対するＰＨＩＣＨ無線リソースを区別できなくなり、自身が送信したデータに対するＰＨＩＣＨ情報を受信することができなくなる。
【０００６】
したがって、各端末機に対する循環シフト値を最も間隔をあけて配置させながらも各端末機に対して互いに異なるＰＨＩＣＨ無線リソースを割り当てなければならない。
【発明の概要】
【発明が解決しようとする課題】
【０００７】
本発明の目的は、基地局から受信された無線リンク制御情報に応じて、基準信号を循環シフトさせることにある。
【０００８】
また、本発明の目的は、ＰＨＩＣＨのための無線リソースを衝突なく割り当てることにある。
【０００９】
また、本発明の目的は、端末機の循環シフト値差を最も大きくしながらも、ＰＨＩＣＨのための無線リソースを衝突なく割り当てることにある。
【課題を解決するための手段】
【００１０】
上述したような本発明の目的を達成するために、本発明は、無線通信システムの端末機に送信されたデータに対する受信成功可否情報を受信する方法であって、基地局から基準信号に対する循環シフト情報を受信するステップと、基準信号に対する循環シフト情報に基づいて決定された循環シフト値で循環シフトされた基準信号をデータと共に基地局に送信するステップと、基地局から基準信号に対する循環シフト情報に基づいて決定される下降リンクチャネルを介して送信されたデータの受信成功可否情報を受信するステップとを含み、循環シフト値が基準信号に対する循環シフト情報と１対１にマッピングされる動的循環シフト値によって決定され、下降リンクチャネルの無線リソースの位置が基準信号に対する循環シフト情報によって１対１にマッピングされるモディファイア（ｍｏｄｉｆｉｅｒ）によって識別されるという受信成功可否情報受信方法を提供する。
【００１１】
本発明の別の一実施形態によれば、無線通信システムの基地局で端末機から受信したデータに対する受信成功可否情報を送信する方法であって、基準信号に対する循環シフト情報を端末機に送信するステップと、端末機から基準信号に対する循環シフト情報に基づいて決定された循環シフト値で循環シフトされた基準信号をデータと共に受信するステップと、基準信号に対する循環シフト情報に基づいて決定される下降リンクチャネルを介して端末機で受信したデータの受信成功可否情報を送信するステップとを含み、循環シフト値は基準信号に対する循環シフト情報と１対１にマッピングされる動的循環シフト値によって決定され、下降リンクチャネルの無線リソースの位置は基準信号に対する循環シフト情報によって１対１にマッピングされるモディファイアによって識別されるという受信成功可否情報送信方法を提供する。
【発明の効果】
【００１２】
本発明によれば、基地局から受信した無線リンク制御情報によって、基準信号を循環シフトさせることができる。
【００１３】
本発明によれば、端末機の循環シフト値の差を最も大きくしながらも、ＰＨＩＣＨのための無線リソースを衝突なく割り当てることができる。
【図面の簡単な説明】
【００１４】
【図１】本発明の一実施形態に係る端末機から基地局に送信されるデータフレームの構造を示す図である。
【図２】本発明の一実施形態に係る循環シフトされた基準信号を用いて無線チャネルの推定に関連付けられたグラフを示す図である。
【図３】本発明の一実施形態に係る無線リンク制御情報により下降リンク無線リソースを判断する処理を例示するフローチャートである。
【図４】本発明の一実施形態に係る端末機の構造を示すブロック図である。
【図５】本発明の一実施形態に係る基地局の構造を示すブロック図である。
【図６】本発明の一実施形態に係るデータ受信方法を例示するフローチャートである。
【発明を実施するための形態】
【００１５】
本発明の実施形態に対して、全体を通じて同一の参照符号が同一の要素を表す添付の図面に例示する実施例の参照を詳細に行う。図面を参照することにより、本発明を説明するために、実施形態を、以下に説明する。
【００１６】
本発明における「基地局」とは、「１つのセルを制御する制御装置」の意味で用いられる。実際通信システムにおける「物理的な基地局」は、複数のセルを制御することができるが、この場合に「物理的な基地局」は、本発明における「基地局」を複数含んでいるものと考えられる。すなわち、各セルに異なるように割り当てることができるパラメータは、各「基地局」が互いに異なる値を割り当てると考えられる。
【００１７】
本発明における「基準信号」は、本発明が３ＧＰＰ  ＬＴＥシステムに適用される場合、上向きリンク復調基準信号（ＤＭＲＳ：Ｄｅｍｏｄｕｌａｔｉｏｎ  Ｒｅｆｅｒｅｎｃｅ  Ｓｉｇｎａｌ）とすることができる
【００１８】
図１は、本発明の一実施形態に係る端末機から基地局に送信されるデータフレームの構造を示す図である。端末機から基地局に送信されるデータフレーム１００は、第１データ１１０と、第２データ１３０とを含む。データフレーム１００は基準信号１２０を含むことができる。
【００１９】
基準信号１２０は、端末機と基地国間に互いに約束された信号として、基地局は端末機が送信する基準信号１２０のパターンを知っている。基地局は、基準信号１２０を用いて端末機と基地国間の無線チャネルを推定して、推定された無線チャネルを用いて第１データ１１０および第２データ１２０を復号化することができる。
【００２０】
本発明の一実施形態に係る複数の端末機は、各データフレームを同一の上向きリンク無線リソースを用いて基地局に送信することができるが、これらに限定されることはない。特に、基地局は、多重ユーザ多重入力多重出力（ＭＵ−ＭＩＭＯ：Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）受信技法を用いて各データフレームを受信できるが、これらに限定されることはなく、単一ユーザ多重入力多重出力（ＳＵ−ＭＩＭＯ：Ｓｉｎｇｌｅ  Ｕｓｅｒ  Ｍｕｌｔｉｐｌｅ  Ｉｎｐｕｔ  Ｍｕｌｔｉｐｌｅ  Ｏｕｔｐｕｔ）の受信技法を用いて各データフレームを受信することができる。
【００２１】
各端末機が同一の基準信号１２０を用いる場合、基地局は同一の上向きリンク無線リソースを用いて受信した各フレームに含まれる複数の基準信号１２０を区分できない。この場合、各端末機に対する無線チャネルを推定することができず、データ１１０、１３０を復号化することができない。
【００２２】
この問題を解決するために、基地局は各端末機に互いに異なる値の循環シフト値（ｃｙｃｌｉｃ  ｓｈｉｆｔ  ｖａｌｕｅ）を割り当てることができる。端末機は、割り当てられた循環シフト値に応じて、各基準信号１２０を循環シフトさせることができる。基地局は、基準信号１２０の循環シフト値を用いて各基準信号１２０を区分することができる。この場合、基地局は各端末機に対する無線チャネルを推定して、推定された無線チャネルを用いて各端末機に対する第１データ１１０および第２データ１２０を復号化することができる。
【００２３】
図２は、本発明の一実施形態に係る循環シフトされた基準信号を用いて無線チャネルの推定に関連付けられたグラフを示す図である。以下、図２では互いに異なる循環シフトに応じて、循環シフトされた基準信号１２０を用いて基地局が各基準信号を区分する概念を説明することにする。
【００２４】
端末機は、時間領域で基準信号を循環シフトさせることができる。
【００２５】
別の状況では、端末機は、周波数領域で基準信号を位相シフトさせ、位相シフトされた基準信号を逆フーリエ変換することができる。周波数領域で各基準信号間の位相差は時間領域で各基準信号間の時間差として現れる。
【００２６】
すなわち、第１端末機から受信した第１基準信号と第２端末機から受信した第２基準信号とは互いに時間差をおいて検出される。
【００２７】
図２の（ａ）は第１基準信号と第２基準信号が互いに十分に間隔をあけて配置された場合に、各基準信号を用いて各端末機に対する無線チャネルを推定した結果を示す図である。
【００２８】
図２では、１つのデータフレームに相応する時間２３０が１２個の時間区間に区分された。
【００２９】
基地局は、第１端末機から受信した第１基準信号を用いて第１端末機に対する第１無線チャネル２１０を推定する。また、基地局は、第２端末機から受信した第２基準信号を用いて第２端末機に対する第２無線チャネル２２０を推定する。
【００３０】
図２の（ａ）で、第１無線チャネル２１０は、第１時間区間から第５時間区間まで２３１に位置する。また、第２無線チャネル２２０は、第７時間区間から第１１時間区間まで２３２に位置する。第１無線チャネル２１０と第２無線チャネル２２０は、互いに重ならずに互いに完全に分離して位置するため、第１無線チャネル２１０と第２無線チャネル２２０とを、十分に間隔をあけて配置していると言える。
【００３１】
第１無線チャネル２１０と第２無線チャネル２２０が互いに重ならないため、基地局は第１無線チャネル２１０と第２無線チャネル２２０を正確に推定することができる。基地局は正確に推定された各無線チャネル２１０、２２０を用いて第１端末機または第２端末機から受信したデータを正確に復号化することができる。
【００３２】
図２の（ｂ）は第１基準信号と第２基準信号とを、互いに十分に間隔をあけて配置していない場合に、各基準信号を用いて各端末機に対する無線チャネルを推定した結果を示す図である。
【００３３】
図２の（ｂ）で、第１無線チャネル２４０は、第１時間区間から第５時間区間まで２６１に位置する。また、第２無線チャネル２５０は、第４時間区間から第８時間区間まで２６２に位置する。すなわち、第１無線チャネル２４０と第２無線チャネル２５０は第４時間区間から第５時間区間までの区間２６３で互いに重なる。したがって、第１無線チャネル２４０と第２無線チャネル２５０は互いに十分に間隔をあけて配置されているとは言えない。この場合、基地局は第１無線チャネル２４０と第２無線チャネル２５０を互いに区分することができず、各々の無線チャネル２４０、２５０を正確に推定することもできない。したがって、第１端末機または第２端末機から受信したデータを正確に復号化することができない。
【００３４】
基地局が各無線チャネルを正確に推定するためには各無線チャネルが全体時間区間２３０までの区間内にすべて含まれるべきである。また、各無線チャネルが重なってはいけない。すなわち、各無線チャネルを、十分に間隔をあけて配置しなければならない。
【００３５】
基地局が各無線チャネルを最も隔離されるようにする場合、基地局は各無線チャネルの長さ２３１、２３２、２６１，２６２を正確に知ることができない。したがって、各無線チャネル間の時間差が等しくなるようにするべきである。基地局は、各無線チャネル間の時間差が等しくなるように各端末機に対する基準信号の循環シフト値を決定することができる。
【００３６】
図２のように、２つの端末機が基地局に基準信号を送信する場合に、第１無線チャネルが第１時間区間に位置し、第２無線チャネルが第７時間区間に位置すれば、各無線チャネルを最も感覚をあけて配置する。また、３つの端末機が基地局に基準信号を送信する場合に、第１端末機に対する第１無線チャネルが第１時間区間に、第２端末機に対する第２無線チャネルが第５時間区間に、第３端末機に対する第３無線チャネルが第９時間区間に位置すれば、各チャネルを最も間隔をあけて配置して、各チャネル間の時間差が等しくなる。
【００３７】
各端末機が直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）スキームによって基準信号を送信する場合、時間領域で各基準信号間の時間間隔は周波数領域で各基準信号間の位相間隔に比例する。
【００３８】
各端末機が循環シフト値に応じて各基準信号の位相を個別的に変換することを考慮する場合、各無線チャネル間の時間差である各基準信号の循環シフト値に応じて決定される。基地局は、各無線チャネル間の時間差が最も大きくなるように各基準信号の循環シフト値を決定することができる。
【００３９】
図３は、本発明の一実施形態に係る無線リンク制御情報により下降リンク無線リソースを判断する処理を例示するフローチャートである。
【００４０】
ステップＳ３３０において、基地局３１０は、無線リンク制御情報を端末機３２０に送信することができる。
【００４１】
本発明が３ＧＰＰ  ＬＴＥシステムに適用される場合、無線リンク制御情報はＤＣＩ（Ｄｏｗｎｌｉｎｋ  Ｃｏｎｔｒｏｌ  Ｉｎｆｏｒｍａｔｉｏｎ）ｆｏｒｍａｔ０とすることができる。ＤＣＩ  ｆｏｒｍａｔ  ０には端末機が基地局にデータを送信するのに必要な複数の情報が含まれているため、この中に「基準信号に対する循環シフト情報」も含まれている。端末機は、ＤＣＩ  ｆｏｒｍａｔ  ０に含まれる「基準信号に対する循環シフト情報」を参照しながら動的循環シフト値を決定することができる。ＤＣＩ  ｆｏｒｍａｔ  ０は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信される。基地局３１０に複数の端末機がデータを送信する場合に、基地局３１０は各端末機に対して互いに異なる値に決定された無線リンク制御情報を送信することができる。
【００４２】
ステップＳ３３１において、端末機３２０は、基地局から無線リンク制御情報を受信することができる。
【００４３】
ステップＳ３４０において、端末機３２０は無線リンク制御情報に基づいて循環シフト値を決定することができる。本発明に３ＧＰＰ  ＬＴＥシステムに適用される場合、端末機３２０は基地局３１０から受信した無線リンク制御情報に含まれている基準信号に対する循環シフト情報（ｃｙｃｌｉｃ  ｓｈｉｆｔ  ｆｏｒ  ＤＭＲＳ  ｆｉｅｌｄ  ｉｎ  ＤＣＩ  ｆｏｒｍａｔ  ０）に基づいて動的循環シフト値を決定し、動的循環シフト値と基地局３１０から送信された異なる情報を組み合わせて基準信号に対する循環シフト値を決定することができる。
【００４４】
本発明の一実施形態によれば、ステップＳ３４０において端末機３２０は次の式１によって、基準信号に対する循環シフト値を決定することができる。  
ｎCS＝（ｎDMRS(1)＋ｎDMRS(2)＋ｎPRS）ｍｏｄ１２  （式１）  
ここで、ｎCSは各端末機３２０の基準信号に対する循環シフト値であり、ｎDMRS(1)は静的循環シフト値として特定セルに属するすべての端末機に対して同一に送信される報知情報に含まれている。特定セルに対応する基地局は、セル内のすべての端末機に同一のｎDMRS(1)を送信する。互いに異なるセルに属する端末機は、互いに異なるｎDMRS(1)を受信することができる。ｎDMRS(2)は、ステップＳ３３１において、端末機３２０が基地局３１０から受信した無線リンク制御情報に基づいて決定された動的循環シフト値である。ｎPRSは、下記の式２によって決定される。本発明が３ＧＰＰ  ＬＴＥシステムに適用される場合、無線リンク制御情報は、ＤＣＩ  ｆｏｒｍａｔ  ０とすることができる。端末機３２０が基地局から受信した無線リンク制御情報に基づいて動的循環シフト値を決定する方法ついては、以下のステップＳ３４０において、詳細に説明することにする。  
【００４５】
【数１】
0005671083.tif 000002
【００４６】
ここで、Ｃ（ｉ）は、特定基地局３１０に属するすべての端末機に対して同一に決定される疑似乱数（ｐｓｅｕｄｏ−ｒａｎｄｏｍ）シーケンスである。
【００４７】
端末機３２０の基準信号に対する循環シフト値を、式１および式２に従って決定することができる。ｎDMRS(1)およびｎPRSは、同一の基地局３１０にデータを送信する端末機に対して同一の値に決定される。したがって、同一の基地局３１０にデータを送信する端末機の基準信号の循環シフト値の間の差は、ただ動的循環シフト値ｎDMRS(2)によって決定される。
【００４８】
ステップＳ３４１において、端末機３２０は、個別的に決定された循環シフト値によって基準信号を循環シフトさせる。循環シフトの一例として、端末機３２０は、周波数領域で基準信号を位相シフトさせ、時間領域で逆フーリエ変換することができる。循環シフトの異なる例として、端末機３２０は、時間領域で基準信号を循環シフトさせることができる。
【００４９】
ステップＳ３５０において、端末機３２０は、循環シフト値で循環シフトされた基準信号を基地局３１０に送信する。端末機３２０は、図１に示すデータフレームを用いて第１データ、第２データおよび基準信号を基地局３１０に送信することができる。本発明が３ＧＰＰ  ＬＴＥシステムに適用される場合、端末機３２０は上向きリンクデータをＰＵＳＣＨ（Ｐｈｙｓｉｃａｌ  Ｕｐｌｉｎｋ  Ｓｈａｒｅｄ  Ｃｈａｎｎｅｌ）を用いて基地局３１０に送信することができる。
【００５０】
ステップＳ３５１において、基地局３１０は、第１データおよび第２データと共に基準信号を端末機３２０から受信する。本発明の一実施形態によれば複数の端末機は同一の無線リソースを用いて各々のデータおよび基準信号を基地局３１０に送信することができる。基地局３１０は、多重ユーザ多重入力多重出力（ＭＵ−ＭＩＭＯ：Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）受信技法を用いて同一の無線リソースを用いて送信された各データを受信することができる。
【００５１】
ステップＳ３６０において、基地局３１０は、端末機３２０から受信した基準信号を用いて基地局３１０と端末機３２０間の無線チャネルを推定する。
【００５２】
ステップＳ３６１において、基地局３１０は、推定された無線チャネルを用いて端末機３２０から受信したデータを復号化する。基地局３１０は、データ復号化結果を参照してデータにエラーが発生したか否かを判断することができる。
【００５３】
ステップＳ３６２において、基地局３１０は、送信成功可否情報（ＡＣＫ／ＮＡＣＫ）を生成する。データにエラーが発生しなかった場合、送信成功可否情報はデータ送信成功（ＡＣＫ：Ａｃｋｎｏｗｌｅｄｇｅｍｅｎｔ）であり、データにエラーが発生したとすれば、送信成功可否情報はデータ送信失敗（ＮＡＣＫ：Ｎｏ  Ａｃｋｎｏｗｌｅｄｇｅｍｅｎｔ）とすることができる。
【００５４】
ステップＳ３７０において、端末機３２０は、送信成功可否情報が送信される下降リンクチャネルの特定無線リソースを識別することができる。一実施形態によれば、端末機３２０は、基準信号に対する循環シフト情報によって１対１にマッピングされるモディファイアを用いて下降リンクチャネルの無線リソースの位置を識別することができる。基準信号に対する循環シフト情報とモディファイアの対応関係については、下記の表１を用いて説明することにする。
【００５５】
ステップＳ３８０において、端末機３２０は、ステップＳ３７０にて識別された下降リンク無線リソースを用いて送信成功可否情報を受信する。
【００５６】
以下、本発明が３ＧＰＰ  ＬＴＥシステムに適用された場合を仮定して、本発明の動作をより具体的に説明する。本発明が３ＧＰＰ  ＬＴＥシステムに適用された場合に、無線リンク制御情報は、ＤＣＩ  ｆｏｒｍａｔ  ０とすることができ、上向きリンクデータに対する送信成功可否情報は、ＨＩ（ＨＡＲＱ  Ｉｎｄｉｃａｔｏｒ）とすることができ、送信成功可否情報を送信する下降リンクチャネルは、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）とすることができる。
【００５７】
ＰＨＩＣＨの無線リソースは、ＰＨＩＣＨ無線リソース群に含まれて管理される。すなわち、特定ＰＨＩＣＨ無線リソースは、ＰＨＩＣＨ無線リソース群のインデックスとＰＨＩＣＨ無線リソース群内におけるＰＨＩＣＨ無線リソースのインデックスとして識別される。
【００５８】
一実施形態によれば、ステップＳ３７０において、端末機３２０は、次の式３を参照して、ＤＣＩ  ｆｏｒｍａｔ  ０によってＰＨＩＣＨの特定リソースを判断することができる。
【００５９】
【数２】
0005671083.tif 000003
【００６０】
【数３】
0005671083.tif 000004
【００６１】
ここで、ｎPHICHgroupはＰＨＩＣＨの無線リソース群のインデックスを示し、ＩPRB_RAlowestはＨＩに対応する上向きリンクデータを伝達するチャネルのＰＵＳＣＨが送信される最初スロットの最も低い物理リソースブロック（Ｐｈｙｓｉｃａｌ  Ｒｅｓｏｕｒｃｅ  Ｂｌｏｃｋ）インデックスを示す。ｎDMRSはモディファイアであり、ＤＣＩ  ｆｏｒｍａｔ  ０によって１対１にマッピングされる値であり、ＮPHICHgroupはＰＨＩＣＨの無線リソース群の個数であり、ＩPHICHはＴＤＤのＵＬ／ＤＬの構成０であり、ＰＵＳＣＨ送信が１つのフレームのうちで５番目サブフレーム、または１０番目サブフレームでなされる場合、その値は１であり、その他の場合にはその値は０である。
【００６２】
また、ｎPHICHseqはＰＨＩＣＨの無線リソース群に含まれるＰＨＩＣＨ無線リソースのうち特定ＰＨＩＣＨ無線リソースのインデックスを示し、ＮSFPHICHはＰＨＩＣＨ変調に用いられる拡散係数の大きさを示す。
【００６３】
式３を参照すると、送信成功可否情報が送信されるＰＨＩＣＨの無線リソースを、ｎPHICHgroup、ｎPHICHseqによって決定することができる。
【００６４】
複数の端末機が互いに異なる上向きリンク無線リソースを用いて基地局３１０にデータを送信する場合、各端末機のＩPRB_RAlowestが互いに異なる。したがって、ＰＨＩＣＨ無線リソースは、異なるとすることができる。
【００６５】
複数の端末機が同一の上向きリンク無線リソースを用いて基地局３１０にデータを送信する場合、送信されたデータに対する送信成功可否情報は、互いに異なるＰＨＩＣＨ無線リソースを用いて基地局は送信しなければならず、端末機は受信しなければならない。すなわち、各端末機に対するＰＨＩＣＨ無線リソースは互いに異なるべきである。
【００６６】
複数の端末機が同一の上向きリンク無線リソースを用いる場合、異なるモディファイアｎDMRSを、ＰＨＩＣＨ無線リソースに対する変数のうちから端末機の各々に割り当てることができる。したがって、基地局３１０は、各端末機に対して互いに異なるモディファイアｎDMRSを割り当てて互いに異なるＰＨＩＣＨ無線リソースを決定することができる。
【００６７】
一実施形態によれば、モディファイアｎDMRSは、表１のように、ＤＣＩ  ｆｏｒｍａｔ  ０に含まれる基準信号に対する循環シフト情報（ｃｙｃｌｉｃ  ｓｈｉｆｔ  ｆｏｒ  ＤＭＲＳ  ｆｉｅｌｄ  ｉｎ  ＤＣＩ  ｆｏｒｍａｔ  ０）によって１対１にマッピングされる。  
【００６８】
【表１】
0005671083.tif 000005
【００６９】
一方、ステップＳ３４０において、端末機３２０は、基地局３１０から受信したＤＣＩ  ｆｏｒｍａｔ  ０に基づいて動的循環シフト値を決定し、動的循環シフト値に基づいて基準信号に対する循環シフト値を決定することができる。
【００７０】
式１を参照すると、基地局３１０は、各端末機に対して互いに異なる動的循環シフト値を割り当てることにより、各端末機の循環シフト値を互いに異なるようにすることができる。
【００７１】
本発明の一実施形態によれば、動的循環シフト値ｎDMRS(2)は、表２に示すようにＤＣＩ  ｆｏｒｍａｔ  ０に含まれている基準信号に対する循環シフト情報（ｃｙｃｌｉｃ  ｓｈｉｆｔ  ｆｏｒ  ＤＭＲＳ  ｆｉｅｌｄ  ｉｎ  ＤＣＩ  ｆｏｒｍａｔ  ０）によって１対１にマッピングされる。表２のＤＣＩ  ｆｏｒｍａｔ  ０に含まれている基準信号に対する循環シフト情報を、基地局３１０から受信することができる。  
【００７２】
【表２】
0005671083.tif 000006
【００７３】
表２は、動的循環シフト値ｎDMRS(2)だけでなく、モディファイアｎDMRSも示す。
【００７４】
表２を参照すれば、動的循環シフト値ｎDMRS(2)は、ＤＣＩ  ｆｏｒｍａｔ  ０を媒介として、モディファイアｎDMRSと関連することが分かる。したがって、基地局が端末機で基地局への無線チャネルを容易に推定することができるようにｎDMRS(2)を割り当てれば、モディファイアｎDMRSの値が影響を受ける。したがって、各端末機が送信成功可否情報を受信するＰＨＩＣＨ無線リソースが互いに衝突する可能性がある。
【００７５】
以下、表２を参照して動的循環シフト値ｎDMRS(2)を決定する場合に、複数の端末機に対するＰＨＩＣＨ無線リソースが互いに衝突する例を説明する。
【００７６】
式３を参照すると、ＰＨＩＣＨ無線リソースはモジュロ（ｍｏｄｕｌｏ）演算を用いて決定される。
【００７７】
端末機が拡張循環前置信号（ｅｘｔｅｎｄｅｄ  ｃｙｃｌｉｃ  ｐｒｅｆｉｘ）を用いてデータを送信する場合、２・ＮSFPHICHは「４」である。ＮPHICHgroupの値は「４」とすることができるが、この場合、無線リソース群と無線リソースシーケンスはすべて「モジュロ４」演算を用いる。したがって、各端末機に対し決定されたＰＨＩＣＨモディファイアｎDMRSの値が「４」の倍数程の違いが生じれば、各端末機には同一のＰＨＩＣＨ無線リソースを割り当てることができる。
【００７８】
複数の端末機に対して表２を参照して無線リンク制御情報を割り当てると仮定する。また、１つのデータフレームに相応する時間が１２個の時間区間に区分されたと仮定する。各端末機に対する無線チャネルを互いに最も間隔をあけて配置しなければならないという図２における説明を参照すると、２つの端末機が基地局にデータを送信する場合に、各端末機に対して｛０、６｝を動的循環シフト値ｎDMRS(2)として割り当てることができる。この場合、基地局３１０は各端末機に対して｛０００、１００｝をＤＣＩ  ｆｏｒｍａｔ  ０に含まれる基準信号に対する循環シフト情報として決定することができ、モディファイアｎDMRSは｛０、４｝と決定される。式３を参照すると、各端末機に対して同一のＰＨＩＣＨ無線リソースを割り当てることができる。したがって、各端末機は、ＰＨＩＣＨを用いて送信成功可否情報を受信することができない。
【００７９】
４個の端末機が基地局にデータを送信する場合に、基地局は各端末機に対して｛０、３、６、９｝を動的循環シフト値ｎDMRS(2)として割り当てることができる。この場合、基地局３１０は、各端末機に対して｛０００、０１０、１００、１１０｝をＤＣＩ  ｆｏｒｍａｔ  ０に含まれる基準信号に対する循環シフト情報として決定することができる。モディファイアｎDMRSは、｛０、２、４、６｝と決定される。式３を参照すると、モディファイアｎDMRSが「０」の端末機のＰＨＩＣＨ無線リソースと「４」の端末機のＰＨＩＣＨ無線リソースが互いに衝突する。また、モディファイアｎDMRSが「２」の端末機のＰＨＩＣＨ無線リソースと「６」の端末機のＰＨＩＣＨ無線リソースが互いに衝突する。
【００８０】
ＤＣＩ  ｆｏｒｍａｔ  ０に含まれる基準信号に対する循環シフト情報と動的循環シフト値ｎDMRS(2)の対応関係を改善して、各端末機に対するＰＨＩＣＨ無線リソースの衝突を防止することができる。表３は、ＰＨＩＣＨ無線リソースが互いに衝突しないように改善された基準信号に対する循環シフト情報と動的循環シフト値ｎDMRS(2)とのマッピング関係を示す。  
【００８１】
【表３】
0005671083.tif 000007
【００８２】
２つの端末機が表３を参照してデータと基準信号とを送信すると仮定する。基地局は、各端末機に対して｛０、６｝を動的循環シフト値ｎDMRS(2)として割り当てることができる。この場合、基地局３１０は、各端末機に対して｛０００、００１｝を基準信号に対する循環シフト情報として決定することができる。モディファイアｎDMRSは、｛０、１｝と決定される。各端末機は、互いに異なるＰＨＩＣＨ無線リソースを用いて各端末機は送信成功可否情報を受信することができる。
【００８３】
３つの端末機が表３を用いて基準信号を送信すると仮定する。基地局は、各端末機に対して｛０、４、８｝を動的循環シフト値ｎDMRS(2)として割り当てることができる。基準信号に対する循環シフト情報は、｛０００、０１１、１０１｝と決定され、モディファイアｎDMRSは｛０、３、５｝と決定される。モディファイアｎDMRSを「４」で割った残りは、｛０、３、１｝であるため、各端末機に対するＰＨＩＣＨ無線リソースは互いに異なるように決定される。各端末機に対するＰＨＩＣＨ無線リソースが互いに衝突しないため、各端末機は送信成功可否情報を受信することができる。
【００８４】
４個の端末機が表３を用いて基準信号を送信すると仮定する。基地局は、各端末機に対して｛０、３、６、９｝を動的循環シフト値ｎDMRS(2)として割り当てることができる。この場合、モディファイアｎDMRSは｛０、２、１、７｝と決定される。モディファイアｎDMRSを「４」で割った残りは｛０、２、１、３｝であるため、４個の端末機が基地局にデータを送信する場合にも各端末機に対して互いに異なるＰＨＩＣＨ無線リソースを割り当てることができる。
【００８５】
端末機が表３を参照してＰＨＩＣＨ無線リソースを識別する実施例を上述した。しかしながら、端末機が表４を参照してＰＨＩＣＨ無線リソースを識別する場合にも表３の場合と類似するように複数の端末機に対して衝突しないＰＨＩＣＨ無線リソースを割り当てることができる。  
【００８６】
【表４】
0005671083.tif 000008
【００８７】
図４は、本発明の一実施形態に係る端末機の構造を示すブロック図である。本発明の一実施形態に係る端末機４００は、受信部４１０と、循環シフト部４２０と、送信部４３０とを含む。
【００８８】
受信部４１０は、基地局４４０から無線リンク制御情報を受信する。循環シフト部４２０は、無線リンク制御情報に基づいて動的循環シフト値を決定する。無線リンク制御情報は基準信号に対する循環シフト情報を含むことができる。本発明が３ＧＰＰ  ＬＴＥシステムに適用される場合、無線リンク制御情報はＤＣＩ  ｆｏｒｍａｔ  ０であり、「基準信号に対する循環シフト情報」とは「Ｃｙｃｌｉｃ  Ｓｈｉｆｔ  ｆｏｒ  ＤＭＲＳ  ｆｉｅｌｄ  ｉｎ  ＤＣＩ  ｆｏｒｍａｔ  ０」とすることができる。一実施形態によれば循環シフト部４２０は、表３または表４を参照して基準信号に対する循環シフト情報と動的循環シフト値をマッピングすることができる。
【００８９】
本発明の一実施形態によれば、受信部４１０は、基地局４４０から放送される静的循環シフト値を受信することができる。静的循環シフト値は、基地局４４０にデータを送信するすべての端末機４００、４５０に対して同一の値が決定される。一方、動的循環シフト値は、各端末機４００、４５０に互いに異なる値で決定される。
【００９０】
循環シフト部４２０は、静的循環シフト値と動的循環シフト値を加えた値と特定セル４４０にしたがって、固有に決定される疑似乱数シーケンスに基づいて循環シフト値を決定することができる。
【００９１】
循環シフト部４２０は、循環シフト値に比例して基準信号を循環シフトすることができる。循環シフトの一例として、循環シフト部４２０は、周波数領域で基準信号を位相シフトさせ、時間領域で逆フーリエ変換することができる。循環シフトの異なる例として、循環シフト部４２０は、時間領域で基準信号を循環シフトさせることができる。
【００９２】
送信部４３０は、循環シフトされた基準信号およびデータを基地局４４０に送信する。本発明の一実施形態によれば、受信部４１０は上向きリンク無線リソースに関する情報を受信して、送信部４３０は上向きリンク無線リソースを用いて循環シフトされた基準信号をデータと共に基地局４４０に送信することができる。
【００９３】
一実施形態によれば、基地局４４０は、基地局４４０にデータを送信する端末機４００、４５０に対して同一の上向きリンク無線リソースを割り当てることができる。この場合、基地局４４０は、多重ユーザ多重入力多重出力受信技法を用いて端末機４００および端末機４５０が各々送信するデータを受信することができる。
【００９４】
基地局４４０は、各端末機４００、４５０に対して互いに異なる値の動的循環シフト値を割り当てることができる。したがって、各端末機４００、４５０の循環シフト値は互いに異なるとすることができる。基地局４４０は、互いに異なる循環シフト値を各端末機として割り当てて各端末機４００、４５０から受信された基準信号を区分することができる。
【００９５】
基地局４４０は、各基準信号を用いて基地局４４０と各端末機４００、４５０間の無線チャネルを推定する。基地局４４０は、無線チャネル推定結果に基づいて各端末機４００、４５０から受信したデータを復号化することができる。
【００９６】
受信部４１０は、送信部４３０が送信したデータに対する送信成功可否情報を受信することができる。データを送信する上向きリンク無線リソースは、複数の端末機４００、４５０に対して同一に割当されるが、送信成功可否情報を受信する下降リンク無線リソースは、各端末機４００、４５０に対して互いに異なるように決定される。
【００９７】
本発明が３ＧＰＰ  ＬＴＥシステムに適用される場合、上向きリンクデータに対する送信成功可否情報は、ＨＩとすることができ、送信成功可否情報を送信する下降リンクチャネルは、ＰＨＩＣＨ（Ｐｈｙｓｉｃａｌ  ｈｙｂｒｉｄ−ＡＲＱ  ｉｎｄｉｃａｔｏｒ  ｃｈａｎｎｅｌ）とすることができる。ＨＩは、ＰＨＩＣＨを介して基地局が端末機に送信し、下降リンクチャネルの無線リソースは、ＤＣＩ  ｆｏｒｍａｔ  ０に含まれる基準信号に対する循環シフト情報に基づいて決定される。受信部４１０は、ＤＣＩ  ｆｏｒｍａｔ  ０に含まれる基準信号に対する循環シフト情報を基づいてモディファイアｎDMRSの値を決定することができる。表１は、基準信号に対する循環シフト情報とモディファイアｎDMRSのマッピング関係を示す一実施形態である。
【００９８】
受信部４１０は、基地局４４０に送信されたデータに対する送信成功可否情報を、式３による下降リンク無線リソースを用いて受信することができる。
【００９９】
図５は、本発明の一実施形態に係る基地局の構造を示すブロック図である。本発明に係る基地局５００は、端末機選択部５１０と、送信部５２０と、受信部５３０と、チャネル推定部５４０とを含む。
【０１００】
端末機選択部５１０は、基地局５００のカバレッジ内に位置する複数の端末機５７０、５８０、５９０のうち基地局５００にデータを送信する複数の端末機を選択する。以下、第１端末機５７０と第２端末機５８０とが基地局５００にデータを送信する端末機に選択されたと仮定する。
【０１０１】
送信部５２０は、選択された端末機５７０、５８０の各々の個数に基づいて各端末機に対する無線リンク制御情報を決定する。無線リンク制御情報は、基準信号に対する循環シフト情報を含むことができる。送信部５２０は、端末機５７０、５８０の各々に対して同一の上向きリンク無線リソースを割り当てる場合、各端末機５７０、５８０が送信した基準信号間の時間差が最大になり、また、基準信号間の時間差が等しくなるように端末機５７０、５８０の各々に対し基準信号に対する循環シフト情報を決定することができる。送信部５２０は、端末機５７０、５８０の各々に対し決定された無線リンク制御情報を各端末機５７０、５８０の各々に送信する。
【０１０２】
各端末機５７０、５８０の各々は、基準信号に対する循環シフト情報に基づいて動的循環シフト値を決定する。一実施形態によれば、端末機５７０、５８０の各々は、表３または表４を参照して動的循環シフト値を決定することができる。
【０１０３】
端末機５７０、５８０の各々は、端末機５７０、５８０の各々に対して互いに異なるように決定される動的循環シフト値および端末機５７０、５８０の各々に対して同一に決定される報知情報に基づいて循環シフト値を決定し、循環シフト値で基準信号を各々循環シフトさせる。
【０１０４】
受信部５３０は、各々循環シフトされた基準信号およびデータを端末機５７０、５８０の各々から受信する。送信部５２０は、基準信号に対する循環シフト情報を参照して端末機５７０、５８０の各々に対し上向きリンク無線リソースを同一に決定することができる。送信部５２０は、上向きリンク無線リソースに関する情報を無線リンク制御情報に含んで各端末機に送信して、端末機５７０、５８０の各々は同一の上向きリンク無線リソースを用いてデータおよび基準信号を送信することができる。受信部５３０は、多重ユーザ多重入力多重出力受信技法を用いてデータを受信することができる。
【０１０５】
チャネル推定部５４０は、循環シフトされた基準信号に基づいて端末機５７０、５８０の各々と基地局５００との間の無線チャネルを推定する。受信部５３０は、無線チャネル推定結果に基づいてデータを復号化することができる。
【０１０６】
受信部５３０は、復号化されたデータに対するエラー発生有無を判断して、復号化されたデータにエラーが発生した場合、データ送信失敗と判断することができる。送信部５２０は、送信成功可否を、下降リンクチャネルを用いて端末機５７０、５８０の各々に送信することができる。
【０１０７】
送信部５２０は、無線リンク制御情報に基づいて下降リンクチャネルの無線リソースを判断し、判断された下降リンクチャネルの無線リソースを用いて送信成功可否情報を送信することができる。
【０１０８】
本発明が３ＧＰＰ  ＬＴＥシステムに適用された場合、無線リンク制御情報は、ＤＣＩ  ｆｏｒｍａｔ  ０とすることができ、基準信号に対する循環シフト情報は、「Ｃｙｃｌｉｃ  Ｓｈｉｆｔ  ｆｏｒ  ＤＭＲＳ  ｆｉｅｌｄ  ｉｎ  ＤＣＩ  ｆｏｒｍａｔ  ０」とすることができ、上向きリンクデータに対する送信成功可否情報は、ＨＩ（ＨＡＲＱ  Ｉｎｄｉｃａｔｏｒ）とすることができ、送信成功可否情報を送信する下降リンクチャネルは、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）とすることができる。この場合、送信部５２０は、表１を参照してモディファイアｎDMRSの値を決定することができる。
【０１０９】
送信部５２０は、式３を用いてＰＨＩＣＨ無線リソースを判断し、判断されたＰＨＩＣＨ無線リソースを用いて各端末機５７０，７８０に送信成功可否情報を送信することができる。
【０１１０】
図６は、本発明の一実施形態に係るデータ受信方法を例示するフローチャートである。
【０１１１】
ステップＳ６１０において、端末機は、基地局から無線リンク制御情報を受信する。無線リンク制御情報は、基準信号に対する循環シフト情報を含むことができる。端末機は、基地局から受信した基準信号に対する循環シフト情報に基づいて動的循環シフト値を決定する。本発明が３ＧＰＰ  ＬＴＥシステムに適用される場合、無線リンク制御情報は、ＤＣＩ  ｆｏｒｍａｔ  ０とすることができ、基準信号に対する循環シフト情報は、「Ｃｙｃｌｉｃ  Ｓｈｉｆｔ  ｆｏｒ  ＤＭＲＳ  ｆｉｅｌｄ  ｉｎ  ＤＣＩ  ｆｏｒｍａｔ  ０」とすることができる。端末機は、基地局からＤＣＩ  ｆｏｒｍａｔ  ０を受信して動的循環シフト値ｎDMRS(2)を決定することができる。端末機は、表３または表４を参照して動的循環シフト値を決定することができる。
【０１１２】
ステップＳ６２０において、端末機は、動的循環シフト値および基地局から送信される報知情報に基づいて循環シフト値を決定することができる。報知情報は、セル内のすべての端末機に同一の値が決定される情報として、「静的循環シフト値」を報知情報の一例とすることができる。動的循環シフト値は、基地局にデータを送信する各端末機に対して互いに異なるように決定されるが、報知情報は特定セルに位置するすべての端末機に対して同一に決定される。
【０１１３】
ステップＳ６３０において、端末機は、決定された循環シフト値で基準信号を循環シフトさせる。本発明の一実施形態によれば、端末機は循環シフト値に対応する位相変換値だけ基準信号の位相を周波数領域でシフトさせることができる。他の実施形態によれば、端末機は循環シフト値に対応する時間の長さだけ基準信号の時間を循環シフトさせることができる。循環シフト値に対応する時間は、循環シフト値を１２で割った残りの値に基準信号が送信される時間を１２で割った値を掛けたものとすることができる。
【０１１４】
ステップＳ６４０において、端末機は、無線リンク制御情報に基づいて上向きリンク無線リソースを判断する。一実施形態によれば、同一の基地局にデータを送信する複数の端末機に対して同一の上向きリンク無線リソースを割り当てることができる。
【０１１５】
ステップＳ６５０において、端末機は、循環シフトされた基準信号およびデータを基地局に送信する。ステップＳ６４０において、各端末機に同一の上向きリンク無線リソースが割り当てられた場合に、端末機は同一の上向きリンク無線リソースを用いて基準信号およびデータを基地局に送信する。複数の基準信号が同一の無線リソースを用いて送信されるが、基地局は各基準信号の循環シフト値を互いに異なるように割り当てたため、基地局は各基準信号を区分することができる。基地局は、基準信号を用いて端末機と基地国間の無線チャネル状態を推定し、推定結果に基づいてデータを復号化することができる。
【０１１６】
データにエラーが発生しなかった場合、基地局はデータの送信が成功したものと判断することができる。
【０１１７】
ステップＳ６６０において、端末機は、データに対する送信成功可否情報を受信する。複数の端末機が基地局にデータを送信した場合に、基地局は互いに異なる下降リンク無線リソースを用いて各端末機に送信成功可否情報を送信することができる。
【０１１８】
本発明の一実施形態によれば、下降リンク無線リソースは、無線リンク制御情報に含まれる「基準信号に対する循環シフト情報」に基づいて識別される。「基準信号に対する循環シフト情報」に基づいて下降リンク無線リソースを識別することは、図３で詳細に説明したので、省略することにする。
【０１１９】
本発明の一実施形態に係る受信成功可否情報送信方法および受信成功可否情報受信方法は、多様なコンピュータ手段によって実行されるプログラム命令形態によって実現され、コンピュータ読取り可能な記録媒体に記録される。コンピュータ読取り可能な記録媒体は、プログラム命令、データファイル、データ構造などを単独または組み合わせて含むこともでき、記録媒体およびプログラム命令は、本発明の目的のために特別に設計されて構成されたものとすることができ、コンピュータソフトウェア分野の技術を有する当業者にとって公知であり使用可能なものであるとすることができる。例として、コンピュータ読取り可能な記録媒体は、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置を含む。また、記録媒体は、プログラム命令、データ構造などを保存する信号を送信する搬送波を含む光または金属線、導波管などの送信媒体でもある。例として、プログラム命令は、コンパイラによって生成されるような機械語コードだけでなく、インタプリタなどを用いてコンピュータにより実行可能な高級言語コードを含む。上記のハードウェア装置を、本発明の動作を行うために１つ以上のソフトウェアモジュールとして作動するように構成することができ、逆の場合も同様である。
【０１２０】
上述したように、本発明の望ましい実施形態を参照して説明したが、当業者は、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図１】
0005671083.tif 000013
【図２】
0005671083.tif 000014
【図３】
0005671083.tif 000015
【図４】
0005671083.tif 000016
【図５】
0005671083.tif 000017
【図６】
0005671083.tif 000018